(57)【要約】【課題】  暖房中の暖房装置を利用することによって、コストをかけずに短時間でかつ確実に長靴を乾燥することができる乾燥装置を提供する。【解決手段】  底板３、側板２および上板１とからなる暖気の収容体２１と、送風管２２とを備え、送風型の暖房装置２３が吹き出す温風を、送風管２２を通して収容体２１に送り込む乾燥器具であって、前記側板２には送風管２２との接続手段５を設け、前記上板１には前記収容体２１内に長靴２４を下向きに垂下した状態で支持するための開口部４を備えている。【選択図】      図３
2009270729.tif 000002
【特許請求の範囲】
【請求項１】
底板（３）、側板（２）および上板（１）とからなる暖気の収容体（２１）と、送風管（２２）とを備え、送風型の暖房装置（２３）が吹き出す温風を、送風管（２２）を通して収容体（２１）に送り込む乾燥器具であって、前記側板（２）には送風管（２２）との接続手段（５）を設け、前記上板（１）には前記収容体（２１）内に長靴（２４）を下向きに垂下した状態で支持するための開口部（４）を備えていることを特徴とする乾燥器具。
【請求項２】
前記上板（１）は、側板（２）へ着脱自在に取り付けられることを特徴とする請求項１記載の乾燥器具。
【請求項３】
前記上板（１）は開口部（４）の大きさの異なる複数枚を用意し、長靴（２４）のサイズに応じて使い分け可能にしてあることを特徴とする請求項１または２記載の乾燥器具。
【請求項４】
前記接続手段（５）として、前記収容体（２１）の側板（２）に送風口を形成し、送風口には連結管（５）が取り付けてあることを特徴とする請求項１、２または３記載の乾燥器具。
【請求項５】
前記開口部（４）に代えて、前記上板（１）には収容体（２１）内と連通して立設する筒体（６）を備えていることを特徴とする請求項１、２，３または４記載の乾燥器具。
【請求項６】
前記収容体（２１）は、開口部（４）を塞ぐ蓋（７）を備えていることを特徴とする請求項１、２、３、４または５記載の乾燥器具。
【請求項７】
前記収容体（２１）は、排気口（８）と排気量調節手段（９）を備えていることを特徴とする請求項１、２、３、４、５または６記載の乾燥器具。
【発明の詳細な説明】
【技術分野】
【０００１】
本発明は、長靴を乾燥するための乾燥器具に関する。
【背景技術】
【０００２】
冬季の積雪地方では長靴が頻繁に使用されており、雪などによって長靴が濡れてしまうことが往往にしてある。
長靴が濡れると従来は、日光や外気にさらして自然乾燥させたり、冬季においてはストーブやファンヒーター等の暖房装置の周辺に置いて乾燥させたりしていた。しかしながら、濡れた長靴は非常に乾き難いものであり、これらの方法によって長靴を完全に乾燥させるには、かなりの時間を要していた。一方、靴または長靴専用の電気式乾燥機等も市販されているが、乾燥する度に電気等のエネルギーを使用するので、コストがかかるという問題があった。
【発明の開示】
【発明が解決しようとする課題】
【０００３】
そこで本発明は上記課題を解決するためになされたものであり、暖房中の暖房装置を利用することによって、コストをかけずに短時間でかつ確実に長靴を乾燥することができる乾燥装置を提供することを目的とする。
【課題を解決するための手段】
【０００４】
以下に上記課題を解決するための手段について記載する。まず請求項１記載の発明は、底板、側板および上板とからなる暖気の収容体と、送風管とを備え、送風型の暖房装置が吹き出す温風を、送風管を通して収容体に送り込む乾燥器具であって、前記側板には送風管との接続手段を設け、前記上板には前記収容体内に長靴を下向きに垂下した状態で支持するための開口部を備えていることを特徴とするものである。
【０００５】
これによると、温風が送り込まれた収容体内では、空気の対流によって暖気が上昇し、下向きに垂下した長靴の内部にくまなく暖気が行きわたって水分が蒸発し、しかも、水分の蒸発に伴って発生する蒸気は開口部、または開口部と長靴の隙間から外部に放出されるため、短時間でかつ確実に長靴を乾燥させることができる。また、長靴から垂れ落ちる水滴や泥等は、上板および収容体内に溜まるので、床等を汚さずに使用することができる。
【０００６】
前記上板は、側板に完全に固定して取り付けてもかまわないが、請求項２記載の発明のように、側板へ着脱自在に取り付けられるようにすると、上板および収容体に溜まった水滴や泥等の処理または収容体の清掃を容易に行うことができると共に、用途に応じて他の上板を取り付けて使用することも可能となる。取り付け方としては、単純に上板を側板の上端に載置してもよいし、上板あるいは側板に固定手段を設けて側板の上端または内面に上板を載置してもよい。
【０００７】
また、前記上板に形成した開口部の大きさは特に限定されるものではなく、例えば請求項３記載の発明のように開口部の大きさが異なる上板を複数枚用意すると、長靴のサイズに応じて上板を使い分けることが可能となる。なお、開口部の形状やその個数も特に限定されるものではなく、例えば、一つの上板に、形状と大きさの異なる開口部を複数設けてもかまわない。
【０００８】
前記送風管との接続手段としては、請求項４記載の発明のように収容体の側板に送風口を形成し、さらに送風口に連結管を取り付けると、容易に収容体と送風管とを連結することができると共に、収容体に温風を効率よく送り込むことができる。
【０００９】
請求項５記載の発明は、前記開口部に代えて、前記上板には収容体内と連通して立設する筒体を備えていることを特徴とするものであり、前記筒体が下向きにした長靴の内部に挿入されることによって、長靴の内部に効率よく暖気を送り込むことができる。
【００１０】
また、使用していない開口部がある場合には、請求項６記載のように、蓋で開口部を塞いでおくと、外部への過度の暖気の流出を防ぎ、収容体内における暖気の気密性を高めることができる。
【００１１】
さらに、請求項７記載の発明のように、収容体に排気口と排気量調節手段を備えると、暖気や蒸気の排気量を微調節することが可能となり、使用状況に応じて長靴を効率よく乾燥させることができる。排気量調節手段としては、排気口前面に板状の部材を開閉自在に取り付けること等が挙げられる。
【発明の効果】
【００１２】
本願による発明のうち請求項１記載の発明によると、上板に設けた開口部に長靴を下向きに垂下した状態で保持し、かつ収容体内に送風型の暖房装置の温風を送り込むことによって、一般的には乾し難い濡れた長靴の内部全域を、迅速かつ確実に乾燥させることができる。しかも、長靴より垂れ落ちる水滴や泥等は上板および収容体内に溜まるため、床等を汚さず使用できる。さらに、乾燥専用として熱源を利用するものではなく、使用中の暖房装置の温風を利用するだけなので、コストがかからず経済的にも有効である。
【００１３】
請求項２記載の発明では、上板を側板に着脱自在に取り付けられるので、上板や収容体内に溜まった水滴や泥等の処理または収容体の洗浄を容易に行うことができる。
【００１４】
請求項３記載の発明によると、開口部の大きさが異なる上板を複数枚用意することによって、長靴のサイズに応じて上板を使い分けることができるので、様々な大きさの長靴に適用することが可能である。
【００１５】
請求項４記載の発明においては、側板に送風口と、送風管に連結される連結管とを備えることによって、収容体と送風管とを容易に連結することができると共に、収容体内に温風を効率よく送り込むことができる。
【００１６】
請求項５記載の発明によると、前記開口部に代えて、前記上板には収容体内と連通して立設する筒体を備えており、前記筒体が下向きにした長靴の内部に挿入されることによって、長靴の内部に効率よく暖気を送り込むことができる。
【００１７】
さらに、請求項６記載の発明のように、開口部を塞ぐ蓋を備えると、収容体内における暖気の気密性を高められるので、効率よく長靴を乾燥させることができる。
【００１８】
請求項７記載の発明によると、排気口および排気量調節手段を備えることによって、乾燥環境を微調節することが可能となり、より効率的に長靴を乾燥することができる。
【発明を実施するための最良の形態】
【００１９】
以下、本発明の実施形態について添付図面を参照して説明する。本発明の乾燥器具の代表的な実施形態として、図１に収容体２１の概略を示す斜視図を、図２に長靴２４を収容体２１に設置した場合の斜視図を表す。また図３には、収容体２１の断面図を含む乾燥器具全体の正面図を示す。図３に示すように乾燥器具は、大きくは収容体２１と送風管２２および送風型の暖房装置２３とによって構成されている。
【００２０】
収容体２１は、底板３の周縁より側板２を立設して形成される中空の箱体２５と、箱体２５（側板２）の上端に載置される上板１とによって基本的な枠組みが構成されており、各板は耐水性と耐熱性を兼ね備えた合成樹脂によって形成されている。
【００２１】
箱体２５の側面（側板２）の下部には円形の送風口（図示略）を形成し、送風口の前面には合成樹脂製の連結管５を接合している。ここで連結管５は、直管状に形成しているが、湾曲状または屈曲状等であってもかまわない。また連結管５は、その外径が送風管２２の内径とほぼ同等となるように形成してある。
【００２２】
さらに、箱体２５の側面（側板２）の上部には円形の排気口８を形成し、排気口８の前面にはこれより一回り大きい円形の排気量調節板９が、側板２に沿って自在に回動するように軸支されている。また、排気量調節板９には、レバー１０が排気量調節板９に立設する形で取り付けられている。ここで、排気量調節板９およびレバー１０は合成樹脂により形成されている。
【００２３】
一方、上板１には、円形の開口部４を複数形成すると共に、その裏面には、箱体２５への載置を安定させるために、枠状の固定手段１１を側板２の内周面に接する形に設けている。また開口部４を塞ぐための蓋７を別途備えており、蓋７は開口部４よりやや大きめの板体とその底面に開口部４より面積の小さい突部を設けたものであって、合成樹脂により形成されている。
【００２４】
なお、以上に記載した収容体２１は、素材として合成樹脂を使用しているが、素材は特に限定されるものではなく、金属や木材等であってもかまわない。
【００２５】
暖房装置２３は、一般家庭に備えてある石油ファンヒーターまたはガスファンヒーター等を使用する。また送風管２２は、寒冷地の家庭でよく使用されている「蛇腹ホース」・「蛇腹パイプ」と呼ばれる送風管２２を使用する。この送風管２２は耐熱性の合成樹脂からなる蛇腹構造の管であり、自由に伸縮させたり曲げたりすることが可能であり、変形状態を保持する機能も備えている。
【００２６】
次に、本願発明による乾燥器具の使用方法について説明する。まず、暖房装置２３の送風口の前面に送風管２２の一方の開口面を対面させ、一方の端部を収容体２１の連結管５に嵌め込む。乾燥させる長靴２４は、収容体２１の上板１に形成してある開口部４へ下向きに挿入し、収容体２１内で垂下する状態に保持しておく。以上によって乾燥の準備が整う。
【００２７】
そして暖房装置２３を稼動させると、送風口より吹出す温風の一部が送風管２２を通して収容体２１内に送り込まれて、収容体２１内では空気の対流が生じ、暖気は上昇気流となって長靴２４の外部は勿論、内部の隅々にまで送り込まれる。これによって水分が蒸発して蒸気が発生し、発生した蒸気は排気口８や、上板の使用していない開口部４、または垂下する長靴２４と開口部４の隙間より外部へ排出されるので、短時間で確実に長靴２４を乾燥することができる。
【００２８】
さらに、使用していない上板１の開口部４には、蓋７を嵌め込んでおくことで収容体２１内の暖気の気密性を高めることができると共に、またレバー１０を摘んで排気量調節板９を回動させると排気口８幅が変化し、排気量を調整することができるので、使用状況に応じて、乾燥環境の最適化を図ることができる。なお、使用していない開口部４については、全てを蓋７で塞ぐ必要はなく、状況に応じて好適に塞いでおけばよい。
【００２９】
以上のような乾燥器具の構成と使用方法によって、濡れた長靴２４を早く確実に乾燥させることができる。なお、本願発明に係わる乾燥器具は、通常、暖房装置２３で部屋を暖めている場合に使用することを想定しており、この場合にあっては乾燥としてのコストはかからないので、経済的にも効果的である。また、乾燥よって、暖房の効率が悪化することもない。
【００３０】
図４は上板１の別の形態を表すものであり、前記開口部４に代えて、前記上板１には収容体２１内と連通する合成樹脂製の筒体６を立設させたものである。この筒体６を下向きにした長靴２４の内部に挿入されることによって、長靴２４内に効率よく暖気を送り込むことができる。
【００３１】
図５は上板１の別の載置形態を示しており、これは側板２の内面において、ある高さに突条の固定手段１１を設けて、収容体２１内に上板１を載置するものである。これによると上板１が側板２に囲まれる形となるので、長靴から落ちる水滴や泥等によって周りを汚す恐れがまったくなくなる。
【図面の簡単な説明】
【００３２】
【図１】本発明の代表的な実施形態における収容体を示す斜視図である。
【図２】収容体に長靴を設置した状況を表す斜視図である。
【図３】収容体の断面図を含む乾燥器具全体の正面図である。
【図４】上板の別の形態を示す斜視図である。
【図５】上板の別の載置形態を示す斜視図である。
【符号の説明】
【００３３】
１  上板
２  側板
３  底板
４  開口部
５  連結管（接続手段）
６  筒体
７  蓋
８  排気口
９  排気量調節板（排気量調節手段）
１０  レバー
１１  固定手段
２１  収容体
２２  送風管
２３  暖房装置
２４  長靴
２５  箱体
【図１】
2009270729.tif 000003
【図２】
2009270729.tif 000004
【図３】
2009270729.tif 000005
【図４】
2009270729.tif 000006
【図５】
2009270729.tif 000007